(57)【要約】【課題】撮影された画像を鑑賞する鑑賞者は、撮影時における撮影者の感情が理解できれば、より深く撮影画像を楽しむことができる。しかしながら、このような画像の楽しみ方は、従来の装置では実現できなかった。【解決手段】上記課題を解決するために、表示装置は、画像を撮影した時の撮影者の生体情報を入力する入力部と、画像を表示する表示部と、撮影者の生体情報から撮影時の感情を推定し、推定した感情に基づいて表示部に表示する画像を加工する加工部とを備える。【選択図】図９
2011193275.tif 000002
【特許請求の範囲】
【請求項１】
画像を撮影した時の撮影者の生体情報を入力する入力部と、
前記画像を表示する表示部と、
前記撮影者の生体情報から撮影時の感情を推定し、推定した前記感情に基づいて前記表示部に表示する前記画像を加工する加工部と
を備える表示装置。
【請求項２】
画像を観察者に表示する表示部と、
前記表示部の操作に応じて、前記観察者の生体情報を入力する入力部と、
前記観察者の前記生体情報から画像観察時の感情を推定し、推定した前記感情に基づいて前記表示部に表示する前記画像を加工する加工部と
を備える表示装置。
【請求項３】
前記加工部は、前記感情が理解できる形態に前記画像を加工する請求項１または２に記載の表示装置。
【請求項４】
前記加工部は、前記入力部から入力される前記生体情報に基づいて、前記画像の大きさを変更する請求項１から３のいずれか１項に記載の表示装置。
【請求項５】
前記加工部は、前記入力部から入力される前記生体情報に基づいて、連続して表示される前記画像の表示時間を変更する請求項１から４のいずれか１項に記載の表示装置。
【請求項６】
前記感情の種類に応じた複数のキャラクタを記憶するキャラクタ記憶部を備え、
前記加工部は、前記入力部から入力される生体情報に基づいて、前記キャラクタ記憶部から前記複数のキャラクタの少なくとも１つを読み出して前記画像と組み合わせる請求項１から５のいずれか１項に記載の表示装置。
【請求項７】
前記感情の度合いに応じた複数のキャラクタを記憶するキャラクタ記憶部を備え、
前記加工部は、前記入力部から入力される生体情報に基づいて、前記キャラクタ記憶部から前記複数のキャラクタの少なくとも１つを読み出して前記画像と組み合わせる請求項１から６のいずれか１項に記載の表示装置。
【請求項８】
前記加工部は、前記キャラクタ記憶部から読み出したキャラクタの大きさ、色、数および表示時間の少なくともひとつを変更する請求項６または７に記載の表示装置。
【請求項９】
前記加工部は、前記入力部から入力される生体情報に基づいて、前記画像の輝度、彩度および色相の少なくともひとつを変更する請求項１から８のいずれか１項に記載の表示装置。
【請求項１０】
前記生体情報の入力結果を前記画像のレイティングに用いるレイティング部を備える請求項１から９のいずれか１項に記載の表示装置。
【請求項１１】
前記生体情報の入力結果を前記画像に関連付けて記憶する生体情報記憶部を備える請求項１から１０のいずれか１項に記載の表示装置。
【請求項１２】
前記加工部は、前記生体情報を入力した時とは異なる時に、前記生体情報記憶部から前記入力結果を読み出して、前記画像を加工する請求項１１に記載の表示装置。
【請求項１３】
前記入力部は、前記画像が撮影された時の撮影者の生体情報を入力し、
前記加工部は、前記撮影者の前記生体情報から画像撮影時の感情を推定し、推定した前記感情に基づいて前記表示部に表示する前記画像を加工する請求項２から１１のいずれか一項に記載の表示装置。
【発明の詳細な説明】
【技術分野】
【０００１】
本発明は、表示装置に関する。
【背景技術】
【０００２】
撮影者の生体情報を検出して撮影者の感情を推定し、推定された感情に基づいて撮影操作を支援する撮像装置が知られている。例えば、感情の高ぶりに応じて手振れ補正ゲインを調整し、補正レンズの追従特性を改善している。
［先行技術文献］
［特許文献］
［特許文献１］特開２００９−２１０９９２号公報
【発明の概要】
【発明が解決しようとする課題】
【０００３】
撮影者が被写体に対峙して撮影するときに抱く思い入れ、高揚感、不安、失望感などの感情は千差万別である。しかし、撮影時のこのような感情を被写体画像そのものに表現することは一般的に困難である。場合によっては、撮影者は被写体画像に自らの感情を表出させないように努めることもある。一方で、撮影された画像を鑑賞する鑑賞者は、撮影時における撮影者の感情が理解できれば、より深く撮影画像を楽しむことができる。
【０００４】
同様に、撮影者が自ら撮影した画像を鑑賞者に鑑賞させるときに、いかなる感情を抱いて鑑賞させるのかは、やはり鑑賞者にとって撮影画像を楽しむ一助となる。被写体となった人物が画像を他人に鑑賞させるときも、いかなる感情により鑑賞者に鑑賞させているかも、鑑賞者にとっては興味深い。
【０００５】
しかしながら、このような画像の楽しみ方は、従来の装置では実現できなかった。
【課題を解決するための手段】
【０００６】
上記課題を解決するために、本発明の第１の態様における表示装置は、画像を撮影した時の撮影者の生体情報を入力する入力部と、画像を表示する表示部と、撮影者の生体情報から撮影時の感情を推定し、推定した感情に基づいて表示部に表示する画像を加工する加工部とを備える。
【０００７】
また、上記課題を解決するために、本発明の第２の態様における表示装置は、画像を観察者に表示する表示部と、表示部の操作に応じて、観察者の生体情報を入力する入力部と、観察者の生体情報から画像観察時の感情を推定し、推定した感情に基づいて表示部に表示する画像を加工する加工部とを備える。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】第１実施形態に係るカメラシステムの要部断面図である。
【図２】カメラシステムの上部概観図である。
【図３】撮影レンズを左手により把持した第１の状態を示す図である。
【図４】撮影レンズを左手により把持した第２の状態を示す図である。
【図５】カメラ本体に設けられたカメラ本体側生体センサ部を示す図である。
【図６】心拍数検出装置と脈波検出装置の構成を示す図である。
【図７】カメラシステムのブロック図である。
【図８】第１実施形態に係る撮影モード時の動作フロー図である。
【図９】第１実施形態に係る再生モード時の動作フロー図である。
【図１０】キャラクタの例を示す図である。
【図１１】表示状態の例を示す図である。
【図１２】第２実施形態に係る液晶ディスプレイの外観図である。
【図１３】液晶ディスプレイのブロック図である。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
（第１実施形態）
図１は、第１実施形態に係るカメラシステム１の要部断面図である。本実施形態では、表示装置の一例として、カメラシステム１について説明する。カメラシステム１は、カメラ本体２と交換可能な撮影レンズ３を組み合わせて撮像装置として機能する、レンズ交換式一眼レフカメラである。カメラシステム１は表示装置を内蔵する。
【００１２】
撮影レンズ３は、フォーカスレンズ、ズームレンズおよび防振レンズを含むレンズ群４、絞り５、カメラシステム１の振れを検出する角速度センサ６、レンズ群４を駆動する不図示の駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。
【００１３】
また、撮影レンズ３は、撮影レンズ３の全体を制御すると共に、カメラ本体２と協働するレンズＣＰＵ７を有し、撮影者の心拍数、血流量、血圧、発汗量、体温および撮影レンズ３を把持する圧力等を検出するレンズ側生体センサ部８を有する。
【００１４】
カメラ本体２は、撮影レンズ３からの光束を反射してファインダー光学系２６に導く反射位置と、撮影レンズ３からの光束がＣＣＤまたはＣＭＯＳなどから構成される撮像素子２７に入射するように退避する退避位置とで揺動するメインミラー２８を備える。メインミラー２８の一部の領域は半透過領域となっており、カメラ本体２は、この半透過領域を透過した光束を焦点検出センサ２９へ反射するサブミラー３０を備える。サブミラー３０は、メインミラー２８に連動して揺動し、メインミラー２８が退避位置をとるときには、サブミラー３０も光束から退避する。なお、焦点検出センサ２９は、位相差方式により入射する光束の焦点状態を検出する。
【００１５】
反射位置にあるメインミラー２８で反射された光束は、焦点板３１、ペンタプリズム３２を介してファインダー光学系２６へ導かれる。ファインダー光学系２６は、複数のレンズから構成されており、撮影者はファインダー光学系２６により被写界を確認することができる。
【００１６】
ペンタプリズム３２を透過する光束の一部は測光センサ４０に導かれる。測光センサ４０は、撮影レンズ３へ入射する光束を複数の領域ごとに測光することにより、被写界の輝度分布を計測する。また、ペンタプリズム３２の上方にはＧＰＳ（Ｇｌｏｂａｌ Ｐｏｓｉｔｉｏｎｉｎｇ Ｓｙｓｔｅｍ：全地球測位システム）モジュール４１を備えており、ＧＰＳ衛星からの信号を受信して、カメラシステム１が存在している位置情報を取得する。さらに、カメラ本体２は、撮影レンズ３のマウント部近傍で撮影レンズ３と干渉しない位置に、被写界の音を取り込むマイク４２と、ファインダー光学系２６の近傍にスピーカ４３を備える。
【００１７】
メインミラー２８が退避位置にあるときには、撮影レンズ３からの光束は、ローパスフィルタ３３を介して撮像素子２７に入射する。撮像素子２７の近傍には撮像基板３４が設けられており、撮像基板３４の後方には外部に面して背面モニタ３７が設けられている。背面モニタ３７は表示装置を構成する。
【００１８】
カメラ本体２には、撮影者の右の手指が触れる位置に、撮影者の心拍数、血流量、血圧、発汗量、体温およびカメラ本体２を把持する圧力などを検出するカメラ本体側生体センサ部１６を有している。カメラ本体側生体センサ部１６の具体的な構成および配置につては後述する。
【００１９】
図２は、本実施形態に係るカメラシステム１の上部概観図である。具体的には、操作者が右手でカメラ本体２を把持すると共に左手で撮影レンズ３を把持している状態を示す図である。撮影レンズ３は、上述のように、撮影者の心拍数、血流量、血圧、発汗量、体温および撮影レンズ３を把持する圧力等を検出するレンズ側生体センサ部８を有するが、レンズ側生体センサ部８は、撮影者の左手の指または掌が触れる位置に配設されている。
【００２０】
図においては、レンズ側生体センサ部８の一部として、心拍数検出装置９と脈波検出装置１２が設けられている様子を示す。心拍数検出装置９は、基準電極９ａと検出電極９ｂから構成される互いに分離した複数の電極部を有し、撮影者の心拍数を検出する。脈波検出装置１２は、複数の発光部１２ａ（１２ａ１〜１２ａ４）とこれらに対応する受光部１２ｂ（１２ｂ１〜１２ｂ４）が交互に配置されて構成され、撮影者の脈派を検出する。脈波検出装置１２は、後述するように撮影者の血流量、血圧を測定するために用いられる。
【００２１】
上述のように、カメラ本体２は、撮影者の右の手指が触れる位置にカメラ本体側生体センサ部１６を有している。撮影者がカメラ本体２を把持するとき、右手の親指がカメラ本体２の背面に位置し、人差し指がレリーズＳＷ２４の近傍に位置するので、グリップ部に位置する他の３本の指と離れてしまう。このため、カメラ本体側生体センサ部１６は、右手の親指に対応するカメラ背面位置と、人差し指に対応するレリーズＳＷ２４の近傍位置と、他の３本の指に対応するグリップ部近傍のカメラ前面位置とに離間して設けられている。なお、人差し指に対応するカメラ本体側生体センサ部１６は、レリーズＳＷ２４の表面に設けられていても良い。
【００２２】
なお、カメラ本体２においては、右手の親指と人差し指以外の３本の指がカメラ本体２を把持するカメラ前面位置と、右手の親指に対応したカメラ背面位置との少なくとも一方が、カメラ本体２を把持する把持部である。また、カメラ本体２の背面には、いくつかの操作ＳＷが設けられており、これらの操作ＳＷは右手親指で操作される。また、カメラ本体２の上面には撮影モードを設定する撮影モードＳＷ２５が設けられている。
【００２３】
図３は、撮影レンズ３を左手により把持した第１の状態を示す図である。第１の状態は、左手の甲が下側に位置して撮影レンズ３を把持した状態である。図４は、撮影レンズ３を左手により把持した第２の状態を示す図である。第２の状態は、左手の甲が左側に位置して撮影レンズ３を把持した状態である。
【００２４】
撮影者が撮影レンズ３を把持しつつズーム操作、マニュアルフォーカス操作を行う場合においては、左手の親指が他の指とは離れてしまう。また、異なる撮影者、異なる撮影状況（例えば、横位置撮影および縦位置撮影）によっても撮影レンズの把持の仕方は変化する。そこで、撮影レンズ３の円周上には、複数のレンズ側生体センサ部８（８Ａ〜８Ｄ）が設けられている。
【００２５】
具体的には、レンズ側生体センサ部８は、ズーム操作位置とマニュアルフォーカス操作位置との少なくとも一方の位置で、かつ、左手の親指に対応する位置と、親指以外の指に対応する位置とに離間して設けられる。より具体的には、レンズ側生体センサ部８は、ズーム操作用ゴム、フォーカス操作用ゴムが設けられた位置であって、左手に接触するように、または、左手と対向するように設けられている。
【００２６】
レンズ側生体センサ部８Ａは、上述の心拍数検出装置９、脈波検出装置１２の他に、撮影者の発汗量を検出する発汗センサ１３、撮影者の体温を検出する温度センサ１４、および撮影者が撮影レンズ３を把持する圧力を検出する圧力センサ１５を備える。
【００２７】
レンズ側生体センサ部８Ｂ〜８Ｄは、レンズ側生体センサ部８Ａと同様に、心拍数検出装置９、脈波検出装置１２、発汗センサ１３、温度センサ１４および圧力センサ１５をそれぞれ備える。このように、撮影レンズ３の円周上に複数のレンズ側生体センサ部８（８Ａ〜８Ｄ）を設けることにより左手の掌からも生体情報を検出することができる。
【００２８】
なお、本実施形態では、ズーム操作位置、マニュアルフォーカス操作位置等に応じて複数のレンズ側生体センサ部８（８Ａ〜８Ｄ）を設けているが、撮影者、撮影状態等に応じて撮影レンズ３の把持の仕方が変った場合においても生体情報を検出できる位置であれば、複数のレンズ側生体センサ部８を上述の位置以外の位置に設けてもよい。また、左手の親指が撮影レンズ３を把持する力はあまり大きくないので、レンズ側生体センサ部８Ｂ、８Ｃにおいては、左手の親指に対応する圧力センサ１５を省略してもよい。同様に、レンズ側生体センサ部８に高い検出精度が要求されない場合には、左手の親指に対応する位置のセンサを適宜省略することにより、撮影レンズ３の部品点数を抑えることができる。また、レンズＣＰＵ７は、脈波検出装置１２の発光部１２ａに手指がかかっているときだけ発光するように制御してもよい。
【００２９】
図５は、カメラ本体２のレリーズＳＷ２４の近傍に設けられたカメラ本体側生体センサ部１６を示す図である。図示すように、カメラ本体側生体センサ部１６は、心拍数検出装置９と同様の構成を有する心拍数検出装置１７と、脈波検出装置１２と同様の構成を有する脈波検出装置２０とを有している。また、カメラ本体側生体センサ部１６は、撮影者の発汗量を検出する発汗センサ２１、撮影者の体温を検出する温度センサ２２、および撮影者がカメラ本体２を把持する圧力を検出する圧力センサ２３を備えている。なお、上述のように、カメラ本体側生体センサ部１６は、図示する右手人差し指に対応する位置以外に、親指に対応するカメラ背面位置と、他の３本の指に対応するカメラ前面位置にも設けられているが、それぞれ同様の構成を有する。
【００３０】
図６は、カメラ本体側生体センサ部１６が備える心拍数検出装置１７と脈波検出装置２０の構成を示す図である。図６（ａ）に示すように、心拍数検出装置１７は、基準電極１７ａと検出電極１７ｂから構成される互いに分離した複数の電極部を有し、撮影者の心拍数を検出する。また、図６（ｂ）に示すように、脈波検出装置２０は、複数の発光部２０ａ（２０ａ１〜２０ａ４）とこれらに対応する受光部２０ｂ（２０ｂ１〜２０ｂ４）が交互に配置されて構成され、撮影者の脈派を検出する。
【００３１】
図７は、本実施形態に係るカメラシステム１のブロック図である。撮像基板３４は、撮像素子２７を駆動する駆動回路１０、撮像素子２７の出力をデジタル信号に変換するＡ／Ｄ変換回路１１、ＡＳＩＣで構成される画像処理制御回路１８および撮像素子２７からの信号の高周波成分を抽出するコントラストＡＦ回路１９などを有している。
【００３２】
画像処理制御回路１８は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。画像ファイルは、画像に関する情報をメタ情報として記憶する領域を有する。例えば、ＪＰＥＧファイルではＥＸＩＦ情報として、様々な情報を追加的に付加することができる。具体的には後述するが、本実施形態においては、撮影時の撮影者の生体情報をＥＸＩＦ情報として記述する。生成された画像ファイルは、画像記録媒体３５に記憶される。画像記録媒体３５は、カメラ本体２に対して着脱可能なフラッシュメモリなどの記録媒体であっても良いし、カメラ本体２に内蔵されるＳＳＤ（Solid State Drive）などの記録媒体であっても良い。
【００３３】
画像処理を施された画像信号は、背面モニタ制御回路３６の制御により、背面モニタ３７に表示される。撮影直後に撮影された画像信号を所定時間表示すれば、画像記録媒体３５に記録された画像ファイルに対応する画像を撮影者に視認させるレックレビュー表示を実現できる。また、撮像素子２７が連続的に光電変換する被写界像を、画像記録媒体３５に記録することなく背面モニタ３７に逐次表示すればライブビュー表示を実現できる。さらに、撮像素子２７が連続的に光電変換する被写界像を、例えばＭＰＥＧ、Ｈ．２６４などの動画圧縮処理を画像処理制御回路１８で施して画像記録媒体３５に記録すれば、動画撮影を実現することができる。このとき、マイク４２で収集した被写界の音声も圧縮処理して、動画データに同期させて記録する。生成される動画像のフレームレートは、例えば３０ｆｐｓなど、複数のフレームレートから選択されて設定される。
【００３４】
また、撮影者により再生モードが選択されたときには、背面モニタ制御回路３６の制御により、撮影後の画像ファイルを背面モニタ３７に表示することができる。このとき、画像記録媒体３５に記録された画像ファイルは、カメラ本体ＣＰＵ４６により読み出されて画像処理制御回路１９により展開される。撮影者が操作部材の操作により別画像ファイルの表示指示を行ったときには、カメラ本体ＣＰＵ４６は、指示された画像ファイルを展開して背面モニタ３７に表示する。具体的な表示フローについては後述する。
【００３５】
コントラストＡＦ回路１９は、撮像素子２７からの撮像信号の高周波成分を抽出してＡＦ評価値信号を生成し、これが最大になるフォーカスレンズ位置を検出する。具体的には、画像処理制御回路１８から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ４６に出力する。
【００３６】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子２７に駆動機構を付与して、光軸方向とは異なる方向に駆動して手振れをキャンセルする撮像素子駆動式手振れ補正を採用することもできる。さらには、画像処理制御回路１８から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００３７】
測光センサ４０は、上述のように、撮影レンズ３へ入射する光束を複数の領域ごとに測光することにより被写界の輝度分布を計測するが、計測結果はカメラ本体ＣＰＵ４６に出力する。カメラ本体ＣＰＵ４６では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００３８】
カレンダー部３８は、水晶発振子、計時用集積回路等を有しており、年月日時分秒といったカレンダー情報を保持する。カメラ本体ＣＰＵ４６は、カレンダー部３８から時間に関する情報を適宜検出することができる。ＧＰＳモジュール４１は、ＧＰＳ衛星からの信号を受信してカメラ本体２が存在している緯度、経度、高度情報を取得する。カメラ本体ＣＰＵ４６は、ＧＰＳモジュール４１からカメラ本体２が存在している位置に関する情報を適宜検出することができる。
【００３９】
フラッシュＲＯＭ３９は、ＥＥＰＲＯＭ（登録商標）であり、カメラシステム１を動作させるプログラムのほか、各種調整値、設定値を記憶する記憶装置である。具体的には、ＡＦ調整データ、ＡＥ調整データ、製造時の年月日時間データ、設定ＳＷの設定履歴などを記憶している。また、フラッシュＲＯＭ３９には、撮影者の平常時の生体情報値も記憶されている。本実施形態においては、フラッシュＲＯＭ３９は生体情報値として心拍数、血流量、血圧、体温、カメラ本体２を把持する圧力、撮影レンズ３を把持する圧力を記憶している。
【００４０】
ＲＡＭ４４は、フラッシュＲＯＭ３９に記憶されたプログラムが展開され、カメラ本体ＣＰＵ４６が高速にアクセスできるＤＲＡＭなどの高速ＲＡＭである。特に頻繁に参照される各種調整値、設定値などもフラッシュＲＯＭ３９からコピーされ、カメラ本体ＣＰＵ４６からのアクセスを容易にする。キャラクタＲＯＭ４５は、背面モニタ３７に撮影画像を表示するときに、重畳して表示するキャラクタを複数記憶している。詳細については後述する。
【００４１】
レリーズＳＷ２４は、２段式のスイッチである。撮影者がレリーズＳＷ２４を半押しすると、カメラ本体ＣＰＵ４６は、オートフォーカス、測光などの撮影準備動作を行う。さらに撮影者がレリーズＳＷ２４を全押しすると、カメラ本体ＣＰＵ４６は、レンズ側生体センサ部８およびカメラ本体側生体センサ部１６を用いて撮影者の生体情報の検出を開始すると共に、静止画、動画の撮影動作を開始する。
【００４２】
カメラ本体ＣＰＵ４６は、レンズＣＰＵ７と協働してカメラシステム１の全体を制御する。特に本実施形態では、カメラ本体ＣＰＵ４６は、撮影モードにおいては、レンズ側生体センサ部８およびカメラ本体側生体センサ部１６の出力に基づいて撮影者の生体情報を取得し、撮影画像のメタ情報として画像ファイルに記録する。また、再生モードにおいては、メタ情報から生体情報を読み出して撮影時における撮影者の感情を判断し、読み出した撮影画像を判断した感情に基づいて加工した上で、背面モニタ３７に表示する。または、撮影画像を表示した時の生体情報を取得して感情を判断し、表示する撮影画像を判断した感情に基づいて加工した上で、背面モニタ３７に再度表示する。ここではまず、レンズ側生体センサ部８およびカメラ本体側生体センサ部１６による撮影者の生体情報の取得について説明する。
【００４３】
はじめに、心拍数測定について説明する。上述のように、撮影者が左手で撮影レンズ３を把持する位置には心拍数検出装置９の基準電極９ａおよび検出電極９ｂが設けられており、撮影者が右手でカメラ本体を把持する位置には心拍数検出装置１７の基準電極１７ａおよび検出電極１７ｂが設けられている。検出電極９ｂ、１６ｂからの検出電位は、不図示の差動増幅器で電位差が増幅されてカメラ本体ＣＰＵ４６へ出力される。カメラ本体ＣＰＵ４６は、検出電極９ｂ、１６ｂの電位差に基づいて、撮影者の心拍数を演算する。
【００４４】
なお、例えば撮影者が撮影レンズ３を把持していない場合には、撮影者の左手が基準電極９ａ、検出電極９ｂに触れていないので、基準電極９ａと検出電極９ｂとの間がオープンとなる。レンズＣＰＵ７は、基準電極９ａと検出電極９ｂとの間がオープンの場合には、撮影者が撮影レンズ３を把持していないと判断する。同様に、カメラ本体ＣＰＵ４６は、心拍数検出装置の基準電極１７ａと検出電極１７ｂとの間がオープンの場合には、撮影者がカメラ本体２を把持していないと判断する。
【００４５】
次に、血圧測定について説明する。脈波検出装置１２および２０は、撮影者の血圧を測定する。なお、脈波検出装置１２と脈波検出装置２０は同様の構成を有するので、脈波検出装置１２を例に説明する。脈波検出装置１２は、発光部１２ａから例えば赤外線を射出し、この赤外線が指の動脈で反射され、反射された赤外線を赤外線センサである受光部１２ｂで受光することにより手の指部の脈波を検出する。つまり、末梢血管の血流量を検出する。カメラ本体ＣＰＵ４６は、脈波検出装置１２からの脈波に基づいて撮影者の血圧を演算する。レンズＣＰＵ７は、心拍数検出装置９の基準電極９ａと検出電極９ｂとの出力から、例えば小指など撮影者のある指が撮影レンズ３に触れていないと判断した場合に、その指に対応して配置された発光部１２ａの発光を禁止するようにすれば、無駄な発光を防止すると共に、被写界に迷光を射出することもない。同様に、カメラ本体ＣＰＵ４６は、心拍数検出装置１７の基準電極１７ａと検出電極１７ｂとの出力に基づいて、例えば撮影者の親指がカメラ本体２に触れていないときに、脈波検出装置２０の発光部２０ａの発光を禁止してもよい。
【００４６】
次に、発汗測定について説明する。発汗は手のインピーダンスを測定することにより検出できる。発汗センサ１３、２１は、複数の電極を有して発汗を検出する。なお、複数の電極の一部として基準電極９ａ、基準電極１７ａを兼用してもよい。発汗センサ１３は、レンズ側生体センサ部８Ａ〜８Ｄのそれぞれに設けられているが、感動、興奮、緊張といったような精神性発汗は、発汗量が少なく、発汗時間も短いので、指よりも発汗量が多い中手の掌側に位置するレンズ側生体センサ部８Ｂ、Ｃだけに設けてもよい。
【００４７】
次に、温度測定について説明する。温度センサ１４、２２は、熱により抵抗値が変化するサーミスタ方式を用いている。発汗には上述の精神性発汗と、体温調節のための温熱性発汗とがあり、精神性発汗と温熱性発汗とは相互干渉している。このため、カメラ本体ＣＰＵ４６は発汗センサ１３、２１の出力と、温度センサ１４、２２の出力とに基づいて撮影者の発汗が精神性発汗か温熱性発汗かを判断することができる。例えば、カメラ本体ＣＰＵ４６は、温度センサ２２により検出した温度が高く、発汗センサ２１からの発汗信号が常時検出される場合には温熱性発汗と判断することができる。また、カメラ本体ＣＰＵ４６は、発汗センサ２１からの発汗信号が不規則に出力される場合に精神性発汗と判断して、撮影者が感動、興奮、緊張といった状態であることを検出できる。なお、温度センサ１４、２２を省略した場合には、本体ＣＰＵ４４は、ＧＰＳモジュール４１の位置情報、カレンダー部３８からの時間情報などに基づいて、発汗センサ１３、２１からの発汗信号が精神性発汗か温熱性発汗かを判断してもよい。更に、レンズＣＰＵ７が発汗センサ１３、温度センサ１４の出力に基づいて、左手の汗が精神性発汗か温熱性発汗かを判断することもできる。
【００４８】
次に、圧力測定について説明する。圧力センサ１５は、静電容量型のセンサであり、撮影者が撮影レンズ３を把持したときの押圧力による変形量を測定する。本実施形態において圧力センサ１５は、操作ゴムの下方に設けられている。圧力センサ２３も同様の静電容量型のセンサであり、撮影者がカメラ本体２を把持したときの押圧力による変形量を測定する。なお、圧力センサ１５、２３として歪ゲージ、電歪素子などを用いてもよい。
【００４９】
上述のように、カメラ本体ＣＰＵ４６は、レンズＣＰＵ７と協働して、レンズ側生体センサ部８およびカメラ本体側生体センサ部１６の出力に基づいて撮影者の生体情報を取得する。以下に、カメラシステム１の制御フローについて具体的に説明する。
【００５０】
図８は、第１実施形態に係る撮影モード時の動作フロー図である。フローは、カメラシステム１の電源がＯＮにされて撮影者からの撮影指示を待つ状態から開始する。カメラ本体ＣＰＵ４６は、ステップＳ１０１で、レリーズＳＷ２４の半押しであるＳＷ１がＯＮになるまで待機する。ＳＷ１が撮影者によりＯＮにされると、カメラ本体ＣＰＵ４６は、撮影準備動作を実行する。具体的には、測光センサ４０の出力により露出値を決定し、焦点検出センサ２９を用いた位相差方式によりオートフォーカスを行う。オートフォーカスは、コントラストＡＦ回路１９を用いたコントラスト方式であっても良い。
【００５１】
そして、カメラ本体ＣＰＵ４６は、ステップＳ１０３で、レリーズＳＷ２４の全押しであるＳＷ２がＯＮになるまで待機する。カメラ本体ＣＰＵ４６は、所定の時間内にＳＷ２がＯＮにならなければ、ステップＳ１０１へ戻る。カメラ本体ＣＰＵ４６は、ＳＷ２がＯＮになれば、ステップＳ１０４へ進み、カメラ本体側生体センサ部１６およびレンズ側生体センサ部８の少なくとも一方から撮影者の生体情報を取得する。さらに、カメラ本体ＣＰＵ４６は、ステップＳ１０５で本撮影動作を実行する。本撮影動作では、ステップＳ１０２で決定された露出値に従って、レンズＣＰＵ７は絞り５を動作させ、カメラ本体ＣＰＵ４６はフォーカルプレーンシャッタを走行させて、被写体光束を撮像素子２７に導く。さらにカメラ本体ＣＰＵ４６は、決定された撮像感度に従って撮像素子２７の出力に所定のゲインを掛けて電荷読み出しを行う。なお、ステップＳ１０４とステップＳ１０５の順序はこれに限らず、逆の順序であっても良いし、両者が並行して処理されても良い。
【００５２】
ステップＳ１０６では、画像処理制御回路１８は、このように生成された画像信号に、画像処理および圧縮処理を施して画像ファイルを生成する。このとき、カメラ本体ＣＰＵ４６は、ステップＳ１０４で取得した生体情報を、画像ファイルのメタ情報に記録する。さらに、ステップＳ１０７でカメラ本体ＣＰＵ４６は、取得した生体情報から撮影者の感情を推定して、推定した感情に基づいて画像ファイルのレイティングを行う。レイティングとは、撮影画像の重要度に応じた等級分けであり、例えば１から５の５段階の等級が割り当てられる。一般的には撮影者が撮影画像を視認しながら等級を付与するが、本実施形態においては、推定した感情から画像の重要度を判定して自動的に等級を付与する。感情の分類例は後述するが、例えば、推定された感情が「愛情」、「喜び」等のポジティブな感情であれば重要度の高い５、４を付与する。また、推定された感情が「平常」であれば平均値である３を付与し、「無関心」、「怒り」、「苦痛」等のネガティブな感情に対しては重要度の低い２、１を付与する。
【００５３】
上述のように、レンズ側生体センサ部８およびカメラ本体側生体センサ部１６は、さまざまなセンサの集合体として構成されており、それぞれのセンサが異なる種類の生体情報を出力する。これらの出力を単独で、あるいは組み合わせて判断することにより、撮影者の感情を推定することができる。例えば、高い心拍数および精神性発汗が検出されるときには、撮影者は「焦り」を感じていると推定できる。センサの出力と感情の対応関係は検証的に求められており、対応関係を示すテーブルをフラッシュＲＯＭ３９に記憶させておくことができる。そこで、感情判定においては、取得された生体情報が、テーブルに記述された特定の感情パターンと一致するかを判断する。
【００５４】
カメラ本体ＣＰＵ４６は、ステップＳ１０７でレイティングを行い、等級を画像ファイルのメタ情報に記録したら、ステップＳ１０８へ進み、生成した画像ファイルを画像記録媒体３５に記録する。以上により、撮影モード時の一連の動作フローを終了する。なお、カメラ本体ＣＰＵ４６は、撮影者が操作ＳＷにより撮影した画像の削除指示をしたときに、レイティングが４または５の画像が含まれていた場合に、再度撮影者に削除の確認表示を行ったり、レイティングが４または５の画像を削除を禁止したりしてもよい。これにより、撮影者が誤ってレイティングの高い画像を削除することを防止することができる。
【００５５】
次に、再生モードについて説明する。図９は、第１実施形態に係る再生モード時動作フロー図である。再生モードは、撮影者が操作部材の操作により再生モードを選択したときに開始する。なお、再生モードは、画像の撮影者ではなく、他の観察者であっても操作できる。
【００５６】
撮影者により再生モードが選択されると、カメラ本体ＣＰＵ４６は、ステップＳ２０１で現在の再生モードが撮影時モードに設定されているか、表示時モードに設定されているかを判断する。撮影時モードとは、撮影者の撮影時における感情を推定し、この感情に基づいて撮影画像を加工して表示するモードである。一方、表示時モードとは、再生モード時においてカメラシステム１を操作する観察者の、撮影画像の表示時における感情を推定し、この感情に基づいて撮影画像を加工して再表示するモードである。
【００５７】
まず、撮影時モードについて説明する。ステップＳ２０１で撮影時モードが設定されていると判断すると、カメラ本体ＣＰＵ４６は、ステップＳ３０１で対象となる最初の画像ファイルを画像記録媒体３５から画像処理制御回路１８を用いて読み出し、ＲＡＭ４４の作業メモリ上に展開する。続いてステップＳ３０２において、対象画像ファイルのメタ情報から、撮影時に付加された撮影者の生体情報を読み出す。カメラ本体ＣＰＵ４６は、ステップＳ３０３で、読み出した生体情報から撮影者の感情を推定する。生体情報から撮影者の感情の推定は、上述のように、フラッシュＲＯＭ３９に記憶された生体情報と感情パターンの対応関係を示すテーブルを参照し、読み出した生体情報がテーブルに記述された特定の感情パターンと一致するかを判断して行う。
【００５８】
ステップＳ３０３で感情を推定したら、ステップＳ３０４で、カメラ本体ＣＰＵ４６は画像処理回路１８を用いて、ＲＡＭ４４の作業メモリ上に展開した撮影画像を、推定した感情に基づいて加工する。具体的な加工例については後述するが、例えば、推定した感情に対応するキャラクタをキャラクタＲＯＭ４５から読み出して、これを撮影画像に合成する加工を行う。
【００５９】
このように推定した感情に基づいて加工された撮影画像は、ステップＳ３０５で、背面モニタ制御回路３６により表示用信号に変換されて背面モニタ３７に表示される。そして、一定時間内に次画像の表示指示があれば、再びステップＳ３０１へ戻って次画像に対して同様の表示処理を繰り返す。次画像の表示指示は、撮影者による操作部材の操作であっても良いし、スライドショーモード等の自動再生指示であっても良い。一定時間内に次画像の表示指示が無ければ再生モードを終了する。このように、背面モニタ３７を取り囲んで鑑賞する鑑賞者に、撮影時における撮影者の感情が認識されれば、撮影画像をより楽しむことができる。
【００６０】
次に、表示時モードについて説明する。ステップＳ２０１で表示時モードが設定されていると判断すると、カメラ本体ＣＰＵ４６は、ステップＳ４０１で対象となる最初の画像ファイルを画像記録媒体３５から画像処理制御回路１８を用いて読み出し、ＲＡＭ４４の作業メモリ上に展開する。続いてステップＳ４０２においてカメラ本体ＣＰＵ４６は、ＲＡＭ４４の作業メモリ上に展開した撮影画像を、背面モニタ制御回路３６を用いて背面モニタ３７に表示する。
【００６１】
対象画像を表示して観察者に視認させたら、カメラ本体ＣＰＵ４６はステップＳ４０３で、レンズ側生体センサ部８およびカメラ本体側生体センサ部１６の出力に基づいて、カメラシステム１を操作する観察者の生体情報を取得する。そして、ステップＳ４０４で、取得された生体情報から観察者の感情を推定する。
【００６２】
ステップＳ４０４で感情を推定したら、ステップＳ４０５で、カメラ本体ＣＰＵ４６は画像処理回路１８を用いて、ＲＡＭ４４の作業メモリ上に展開されている撮影画像を、ステップＳ３０４と同様に、推定した感情に基づいて加工する。このように推定した感情に基づいて加工された撮影画像は、ステップＳ４０６で、背面モニタ制御回路３６によりすでに表示されている加工前の撮影画像に置き換えられて背面モニタ３７に表示される。そして、一定時間内に次画像の表示指示があれば、再びステップＳ４０１へ戻って次画像に対して同様の表示処理を繰り返す。次画像の表示指示は、撮影者による操作部材の操作であっても良いし、スライドショーモード等の自動再生指示であっても良い。一定時間内に次画像の表示指示が無ければ再生モードを終了する。このように、背面モニタ３７を取り囲んで鑑賞する鑑賞者に、表示時における操作者の感情が認識されれば、撮影画像をより楽しむことができる。
【００６３】
なお、再生モードによる撮影画像の再生は、上述のような画像の加工を伴うものの他に、記録された画像ファイルをそのまま展開して再生する通常の再生も選択し得る。再生モードにおける表示方法は、メニュー選択等により選択されて設定される。
【００６４】
推定した感情を撮影画像に反映させるべく、撮影画像を加工して表現する手法は様々である。例えば、カメラ本体ＣＰＵ４６は、表示させる撮影画像の大きさを変更することができる。取得した生体情報から「羞恥」の感情が推定される場合は、撮影画像を小さく加工して表示する。逆に「喜び」の感情が推定される場合は、ズーミングするように徐々に拡大して表示する。この際に、カメラ本体ＣＰＵ４６は、「羞恥」の感情が推定される場合の表示時間を標準再生時間より短めにしたり、「喜び」の感情が推定される場合の表示時間を標準再生時間より長めにしたりしてもよい。
【００６５】
さらに、カメラ本体ＣＰＵ４６は、表示する撮影画像の輝度、再度および色相の少なくとも１つを変更する加工を施すこともできる。取得した生体情報から「愛情」の感情が推定される場合は、撮影画像を暖色系に寄せる加工を施す。一方、「絶望」の感情が推定される場合は、撮影画像全体を暗く加工して表示する。
【００６６】
または、スライドショーモード等の自動再生時には、連続して表示される撮影画像の、画像ごとの表示時間を変更することもできる。取得した生体情報から「焦り」の感情が推定される場合は、一枚あたりの表示時間を短くして表示する。
【００６７】
別の例としては、感情に対応するキャラクタをキャラクタＲＯＭ４５から読み出して、撮影画像に合成する加工を施しても良い。図１０は、感情に対応するキャラクタの例を示す図である。図示するように、「平常」「喜び」「愛情」「羞恥」「焦り」「苦痛」「驚き」「困惑」「無関心」「悲しみ」「怒り」「絶望」といった様々な感情に対応するキャラクタがキャラクタＲＯＭ４５に記憶されている。キャラクタの合成は、画像に直接埋め込んで画像信号を生成しても良いし、背面モニタ制御回路３６により撮影画像上にレイヤー状に重畳して画像信号を生成しても良い。また、背面モニタ３７の撮影画像を表示する領域とは別の空き領域にキャラクタを表示するように表示信号を生成しても良い。
【００６８】
図１０では、それぞれの感情に対応するキャラクタを示すが、一つの感情に対して、その度合いに応じて複数のキャラクタを用意してもよい。生体情報からは、例えば「焦り」の感情の中でも、より強い焦りを感じているのか、わずかな焦りを感じているのかを判断することができる。そこで、同じ「焦り」を示すキャラクタでも、そのデザインから「焦り」の度合いがわかるように複数のキャラクタを用意する。そして、判断した感情とその度合いから、これに対応するキャラクタを選択して加工、表示する。また、感情の度合いは、キャラクタの大きさ、色、数、表示時間、アニメーションの動きによっても表現できる。例えば、カメラ本体ＣＰＵ４６は、レイティングの等級数とキャラクタの数とを同じにして表示するようにしてもよく、レイティングの等級数が少ないときにはキャラクタの色を暗めの色（灰色や黒）にしたり、レイティングの等級数が多いときには明るめの色（赤やスカイブルー）にしてもよい。また、カメラ本体ＣＰＵ４６は、判断した感情（もしくは生体情報）とその度合いから、読み出したキャラクタ自体を加工、変更して表示してもよい。例えば、カメラ本体ＣＰＵ４６は、撮影者の心拍数に応じてキャラクタを点滅させてもよく、また、撮影画像を心拍数に合わせて大きくしたり、小さくしたりしてもよく、また、点滅させてもよい。
【００６９】
図１１は、キャラクタを組み合わせて表示する表示状態の例を示す図である。図は、「喜び」を表す喜びキャラクタ４７が、撮影画像に重畳されて動き回る様子を表している。背面モニタ３７には、キャラクタが合成された撮影画像の表示の他に、ファイル名表示４８、前述の５段階のレイティング結果を示す等級アイコン表示４９が行われる。なお、カメラ本体ＣＰＵ４６は、撮影画像に加えてキャラクタを合成して、等級アイコン表示４９の表示を割愛してもよく、その逆の表示を行うようにしてもよい。
【００７０】
また、全ての画像にキャラクタを合成する必要はなく、感情の起伏が大きいと推定される画像のみにキャラクタを合成してもよく、画像にキャラクタ合成を行う枚数を設定してもよい（デフォルトで５枚もしくは全撮像画像の１割と設定してもよい）。更に、再生画増が動画の場合には、動画撮影中の撮影者の感情の起伏が大きい場面にキャラクタ合成を行うようにしてもよい。
【００７１】
なお、推定した感情の撮影画像への反映は、上述の１つの加工に限らない。もちろん組み合わせて加工を行っても良いし、他の表現手法を用いて感情を撮影画像に反映しても良い。なお、第１実施形態としてデジタル一眼レフカメラを例示したが、コンパクトカメラ、ミラーレス一眼カメラ、ビデオカメラおよび携帯電話等にも適用できることはいうまでもない。
【００７２】
（第２実施形態）
次に、第２実施形態に係るディスプレイについて説明する。図１２は、第２実施形態に係る液晶ディスプレイ５１の外観図である。表示装置としてのディスプレイは、液晶ディスプレイ５１に限らず、プラズマディスプレイ、有機ＥＬディスプレイ、プロジェクタ等であっても良い。本実施形態における基本的な概念は第１実施形態と同様である。すなわち、本実施形態においても、生体情報に基づいて感情を推定し、推定した感情に基づいて表示する画像を加工してから液晶ディスプレイ５１に表示する。なお、液晶ディスプレイ５１は、パソコン、テレビ、デジタルフォトフレームなどが含まれる。
【００７３】
図１２に示すように、液晶ディスプレイ５１は、ディスプレイ本体５２と、観察者により操作されるリモコン５３を主な構成要素とする。リモコン５３には、レンズ側生体センサ部８およびカメラ本体側生体センサ部１６と同様の構成を成す生体センサ部５４が設置されている。
【００７４】
リモコン５３は観察者によって把持されるので、把持する掌から観察者の生体情報が取得されるように構成されている。取得された生体情報は、観察者の操作指令と共に、例えば赤外線通信によりディスプレイ本体５２へ送信される。
【００７５】
ディスプレイ本体５２は、撮影画像ファイルが記憶された画像記録媒体５５を受容するスロット５６を備えている。なお、この画像記録媒体５５を第１実施形態の画像記録媒体３５として、ＥＸＩＦ情報として記録された撮影者の撮影時の生体情報やレイティングの等級数をディスプレイ本体５２に受け渡すようにしてもよい。外部からの撮影画像ファイルの取り込みは、着脱式の画像記録媒体５５に限らず、ＬＡＮ等を用いた通信手段によっても実現しうる。
【００７６】
読み出された撮影画像は、表示画面５７の画像表示領域５８に表示される。同時に、情報表示領域５９には、画像ファイル名および等級に対応する等級アイコンが表示される。なお図では、「愛情」を表す愛情キャラクタ６０が、撮影画像に重畳されて動き回る様子を表している。なお、取り込む画像ファイルはカメラシステム１によって生成された撮影画像ファイルに限らず、対応するフォーマットの画像ファイルであれば、いかなる画像ファイルであっても良い。
【００７７】
図１３は、液晶ディスプレイ５１のブロック図である。リモコン５３は、リモコン５３の制御を司るリモコンＣＰＵ６１、リモコン５３を操作する鑑賞者の生体情報を取得する生体センサ部５４、鑑賞者の指示を操作部材の入力により受け付ける操作受付部６２、およびディスプレイ本体５２へ取得された生体情報と観察者の操作指令信号を送信するリモコン送信部６３を備える。また、ディスプレイ本体５２は、ディスプレイ本体５２の制御を司るディスプレイＣＰＵ６４、リモコン送信部６３からの生体情報と操作指令信号とを受信するリモコン受信部６５、および画像記録媒体５５から画像ファイルを取り込むＩＦ（Ｉｎｔｅｒｆａｃｅ）６６を備える。
【００７８】
さらに、液晶ディスプレイ５１は、取り込んだ画像ファイルに付加されている生体情報、またはリモコン送信部より送信される観察者の生体情報から対応する感情を判定する感情判定部６８を備える。また、液晶ディスプレイ５１を動作させるプログラムのほか、各種調整値、設定値を記憶する記憶装置であるフラッシュＲＯＭ６９、およびフラッシュＲＯＭ６９に記憶されたプログラム等が展開されるＲＡＭ７０を備える。ＲＡＭ７０は、作業メモリとしての役割も担う。キャラクタＲＯＭ７１は、上述のキャラクタを複数記憶している。そして、読み出され、画像処理制御回路６７で加工された画像は、ディスプレイ駆動回路７２により、表示画面５７の画像表示領域５８に表示される。
【００７９】
液晶ディスプレイ５１の表示制御は、図９を用いて説明した第１実施形態に係る再生モード時動作フローと同様である。すなわち、取り込んだ画像ファイルが撮影時における撮影者の生体情報を有していれば撮影時モードを選択でき、観察者は表示画面５７に表示される、撮影者の感情に基づいて加工された撮影画像を楽しむことができる。表示時モードが選択されていれば、リモコン５３を操作する観察者の生体情報を取り込んで、その感情に基づいて加工された撮影画像を楽しむことができる。なお、取り込んだ画像ファイルが撮影時における撮影者の生体情報を有していなければ、自動的に表示時モードが選択される。
【００８０】
また、ディスプレイＣＰＵ６４は、取り込んだ画像ファイルに撮影者の生体情報が有る場合に、撮影者の生体情報に応じたキャラクタ表示と、観察者の観察時の生体情報に応じたキャラクタ表示とを一緒に行なう制御を行っても良い。この場合、撮影者の生体情報に応じたキャラクタと、観察者の観察時の生体情報に応じたキャラクタとを異ならせることが好ましい。例えば、同じ画像でも撮影者の感情と、観察者の感情のギャップを見ることができたり、また、撮影者自身が観察者になった場合に、撮影時の感情と観察時の感情とを知ることができ、画像観察の新たな楽しみを味わうことができる。
【００８１】
更に、ディスプレイＣＰＵ６４は、「羞恥」の感情が推定される場合の表示時間を標準再生時間より短めにしたり、「喜び」の感情が推定される場合の表示時間を標準再生時間より長めにしたりしてもよい。同様に、ディスプレイＣＰＵ６４は、「羞恥」の感情が推定される場合の撮像画像を小さく加工して表示したり、「喜び」の感情が推定される場合の撮像画像を大きく加工して表示してもよい。また、ディスプレイＣＰＵ６４は、撮像画像の表示の順番をレイティング順にしてもよく、レイティングの低い画像や「羞恥」「苦痛」「困惑」「悲しみ」「怒り」「絶望」などの画像は表示を禁止するように制御してもよい。この場合、ディスプレイ本体５２に特開２００８−１６５００９号公報に開示されているような撮影部（カメラ）を設け、ディスプレイＣＰＵ６４がこの撮影部（カメラ）と連携して誰が観察者かに応じて画像表示の禁止を行うようにすればいい。より、具体的には、ディスプレイＣＰＵ６４は、顔登録されている人物が観察している場合には、すべての画像を表示するようにし、顔登録されていない人物が観察している場合には上述のように一部の画像を表示するようにすればいい。顔登録に関しては、ディスプレイ本体５２に設けられた撮影部（カメラ）を利用して、親密度を設定し（例えば大、中、小）、ディスプレイＣＰＵ６４は親密度に応じて表示する画像および表示を禁止する画像を決定してもよい。
【００８２】
また、生体情報の記録は、画像ファイルのメタ情報への記録に限らず、画像ファイルへのリンク情報と生体情報を記述する生体情報格納ファイルを生成しても良い。
【００８３】
また、上記実施形態においては、レンズ側生体センサ部８、カメラ本体側生体センサ部１６および生体センサ部５４をそれぞれ装置本体に配置した。しかし、生体センサは、より直接的に撮影者、観察者の身体に取り付けるように独立させて構成しても良い。例えば、特開2005-270543号公報（米国特許第7538890号）に開示されているような腕時計型の生体センサを用いてもよい。この場合、装置側では、有線または無線による生体情報取得部を備えることになる。なお、生体センサを複数備える場合に、それぞれの出力が異なる場合がある。このような場合には、いずれの生体センサからの出力を優先するかを予め決めておくこともできるし、出力の平均値を算出するなどの対処を採用することもできる。
【００８４】
以上、本発明を実施の形態を用いて説明したが、本発明の技術的範囲は上記実施の形態に記載の範囲には限定されない。また、第１実施形態と第２実施形態とを適宜組み合わせることも可能である。更に、上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１  カメラシステム、２  カメラ本体、３  撮影レンズ、４  レンズ群、５  絞り、６  角速度センサ、７  レンズＣＰＵ、８  レンズ側生体センサ部、９  心拍数検出装置、１０  駆動回路、１１  Ａ／Ｄ変換回路、１２  脈波検出装置、１３  発汗センサ、１４  温度センサ、１５  圧力センサ、１６  カメラ本体側生体センサ部、１７  心拍数検出装置、１８  画像処理制御回路、１９  コントラストＡＦ回路、２０  脈波検出装置、２１  発汗センサ、２２  温度センサ、２３  圧力センサ、２４  レリーズＳＷ、２５  撮影モードＳＷ、２６  ファインダー光学系、２７  撮像素子、２８  メインミラー、２９  焦点検出センサ、３０  サブミラー、３１  焦点板、３２  ペンタプリズム、３３  ローパスフィルタ、３４  撮像基板、３５  画像記録媒体、３６  背面モニタ制御回路、３７  背面モニタ、３８  カレンダー部、３９  フラッシュＲＯＭ、４０  測光センサ、４１  ＧＰＳモジュール、４２  マイク、４３  スピーカ、４４  ＲＡＭ、４５  キャラクタＲＯＭ、４６  カメラ本体ＣＰＵ、４７  喜びキャラクタ、４８  ファイル名表示、４９  等級アイコン表示、５１  液晶ディスプレイ、５２  ディスプレイ本体、５３  リモコン、５４  生体センサ部、５５  画像記録媒体、５６  スロット、５７  表示画面、５８  画像表示領域、５９  情報表示領域、６０  愛情キャラクタ、６１  リモコンＣＰＵ、６２  操作受付部、６３  リモコン送信部、６４  ディスプレイＣＰＵ、６５  リモコン受信部、６６  ＩＦ（Ｉｎｔｅｒｆａｃｅ）、６７  画像処理制御回路、６８  判定部、６９  フラッシュＲＯＭ、７０  ＲＡＭ、７１  キャラクタＲＯＭ、７２  ディスプレイ駆動回路
【図１】
2011193275.tif 000003
【図２】
2011193275.tif 000004
【図３】
2011193275.tif 000005
【図４】
2011193275.tif 000006
【図５】
2011193275.tif 000007
【図６】
2011193275.tif 000008
【図７】
2011193275.tif 000009
【図８】
2011193275.tif 000010
【図９】
2011193275.tif 000011
【図１０】
2011193275.tif 000012
【図１１】
2011193275.tif 000013
【図１２】
2011193275.tif 000014
【図１３】
2011193275.tif 000015